(57)【要約】【課題】  シート基材に多数の小凸部を押出成形し且つ該各小凸部にそれぞれ通気孔を形成して通気性を持たせたルーフィングでは、各小凸部が上からの押圧力に弱く、さらに侵入雨水の一部が通気孔を通してルーフィング下方に侵入する虞れがあった。【解決手段】  防水性を有するシート基材１に、前後左右に小間隔をもって片側に押出成形された多数の小凸部２を形成し、各小凸部２の中心付近に微小な通気孔３を形成してなるルーフィングにおいて、各小凸部２の内部空所２ａに吸水ポリマー１０を充填するとともに、シート基材１の下面に通気性のある薄シート１１を貼付して吸水ポリマー１０を内部空所２ａ内に封入していることにより、該吸水ポリマー１０により小凸部２の補強機能と通気孔３からの侵入雨水の吸収機能とを兼備させるようにしている。【選択図】      図３
2008291454.tif 000002
【特許請求の範囲】
【請求項１】
防水性を有するシート基材（１）に、前後左右に小間隔をもって片側に押出成形された多数の小凸部（２，２・・）を形成し、該各小凸部（２，２・・）の中心付近にそれぞれ微小な通気孔（３，３・・）を形成してなる建築用下地シートであって、
前記各小凸部（２，２・・）の各内部空所（２ａ，２ａ・・）にそれぞれ吸水ポリマー（１０，１０・・）を充填しているとともに、前記シート基材（１）の下面に通気性のある薄シート（１１）を貼付して前記吸水ポリマー（１０，１０・・）を前記各内部空所（２ａ，２ａ・・）に封入している、
ことを特徴とする建築用下地シート。
【発明の詳細な説明】
【技術分野】
【０００１】
本願発明は、屋根下葺材や壁面下地材等として使用される建築用下地シートに関するものである。
【背景技術】
【０００２】
この種の建築用下地シートの代表例として、瓦葺き屋根に使用されるルーフィングがある。図４には、従来の一般的な瓦葺き屋根を示しているが、この種の瓦葺き屋根は、屋根の野地板５上に屋根下葺材（ルーフィング）Ｘを敷き、その上に瓦位置決め用の瓦桟６，６・・を釘打ちにより取付け、その各瓦桟６，６・・に各瓦７，７・・を釘止めして施工されている。
【０００３】
尚、瓦葺き屋根に使用されるルーフィングＸは、防水機能を有しており、例えば瓦７，７間の隙間からの雨水の吹き込みや瓦７が割れたときなどに瓦７の下面側に侵入した水Ｗが野地板５側に漏れるのを防止する機能がある。
【０００４】
ところで、従来の一般的なルーフィングＸは、図４に示すように、凹凸のない平面シート状のものが採用されている。他方、瓦葺き屋根では、ルーフィングＸの上に瓦桟６が釘打ちにより取付けられるが、この瓦桟６は、屋根の傾斜方向に所定間隔をもって屋根幅方向に向けて取付けられる。従って、平面シート状のルーフィングＸを使用したものでは、瓦桟６の下面全面がルーフィングの上面にほぼ隙間なしの状態で接触しており、雨水Ｗが瓦７の下面側に侵入すると、その侵入雨水ＷがルーフィングＸ上の瓦桟６部分で堰止められて、そこに長時間留まるようになる。
【０００５】
このように、雨水ＷがルーフィングＸ上の瓦桟６部分で長時間留まると、次のような問題を生じる。  
(1) 侵入雨水Ｗで瓦桟６を長時間濡らしたままになるので、該瓦桟６の腐朽化が速く進行する。
(2) 侵入雨水Ｗが瓦桟６下面とルーフィングＸ上面との間に徐々に浸透して、ルーフィングＸに空けられた釘穴から野地板５側に侵入し、雨漏りの原因となるとともに、野地板５を濡らして腐朽化させるようになる。  
(3) 瓦桟６固定用の釘に侵入雨水Ｗが長時間接触し易くなり、該釘に錆びが発生して（釘の腐朽化が進行して）、屋根の強度あるいは耐久性を損ねる。
【０００６】
他方、この種のルーフィングＸは、瓦７下面側に侵入した雨水Ｗが野地板５側に浸透するのを防止するものである関係で、湿気も遮断するようになっている。ところで、瓦葺き屋根の屋根裏は、小さな換気口があるものの通気性に乏しく、雨天（屋根裏も高湿度になる）から晴天（外気が低湿度になる）になっても、屋根裏の湿気が屋根面からは放出されることがなく、長時間に亘って高湿度の状態が継続する。そして、このように、屋根裏が高湿度状態であると、夜間の温度低下時に屋根裏で湿気が結露してしまうことがあり、ときにはその結露水で天井板にシミができたり、あるいは野地板５が結露水を吸収して高含水状態になる。尚、野地板５が長時間、高含水状態のままであると、そこにカビが発生したり、野地板５が腐り易くなるという問題がある。
【０００７】
又、この種の建築用下地シートは、瓦葺き屋根用のルーフィングのほかに、建物の壁用下地材として使用されるものもあるが、壁用下地材でも、防水機能を確保しようとすると通気性がなくなって、上記と同様に壁用下地材裏側での結露の問題が生じる。
【０００８】
本件出願人は、上記した平面シート状の建築用下地シート（ルーフィング）Ｘの問題点を改善するために、図５〜図７に示す建築用下地シートＹを提案している。尚、この図５〜図７に示す下地シート（ルーフィング）Ｙは、特開２００３−２７６７７号公報（特許文献１）に開示されたものである。
【０００９】
図５〜図７に示す公知のルーフィングＹは、防水性のあるシート基材１に前後左右に小間隔をもって片側に押出成形された多数の小凸部２，２・・を形成している一方、該各小凸部２，２・・の中心付近に微小径の通気孔３を形成したものである。
【００１０】
各小凸部２は、直径が５〜１０mm、高さが３〜５mm程度の大きさで、各小凸部２，２・・の間隔（中心間隔）が前後左右にそれぞれ１０〜２０mm程度になるように形成されている。従って、シート基材１における小凸部２以外の部分は平面状態で連続している（連続平面部４）。尚、ルーフィングとして使用されるシート基材１は、アスファルトを含浸させているものの比較的薄いもの（例えば０.５〜１mm程度の厚さ）であり、そのシート基材１の一部を押出成形してなる小凸部２自体には、さほど大きな耐押圧強度はない。
【００１１】
各小凸部２の通気孔３は、直径が０.５〜１mm程度の微小径に形成されており、空気の通過を許容する一方で水の通過を極力阻止し得るようにしている。
【００１２】
そして、このルーフィングＹは、図５〜図７に示すように、小凸部２が上面側になるようにして屋根の野地板５上に敷設し、そのルーフィングＹ上に瓦桟６，６・・を取付け、各瓦桟６，６・・に瓦７，７・・を掛け止めて（釘打ちして）屋根工事を完成させる。
【００１３】
このように小凸部２付きのルーフィングＹを使用した瓦葺き屋根では、瓦桟６下面とシート基材１の連続平面部４上面との間に該小凸部２の高さだけ隙間を有しているので、もし瓦７，７・・の隙間等から雨水Ｗが侵入しても、その侵入雨水Ｗはシート基材１上面の連続平面部４を流下するようになる（図５の符号Ｗ）。
【００１４】
又、各小凸部２，２・・には通気孔３を形成しているので、雨天時に屋根裏が高湿度状態であっても、晴天（外気が低湿度になる）になると、屋根裏の湿気が野地板５を通過し（図７の符号Ｓ2）、さらに各通気孔３，３・・を通ってルーフィング上面側（外気側）に放出されるようになり（図７の符号Ｓ1）、屋根裏の湿度が短時間で外気湿度まで低下するようになる。
【００１５】
このように、図５〜図７に示す公知（特許文献１）の下地シート（ルーフィングＹ）には、侵入雨水Ｗに対する防水機能と、シート基材下面側の湿度放出機能の両機能を兼備している。
【００１６】
【特許文献１】特開２００３−２７６７７号公報
【発明の開示】
【発明が解決しようとする課題】
【００１７】
ところで、上記した図５〜図７（特許文献１）の下地シート（ルーフィングＹ）を使用した瓦葺き屋根では、シート基材１に形成した小凸部２，２・・によりシート基材１の連続平面部４と瓦桟６との間に隙間を形成できるので、侵入雨水Ｗが瓦桟６に堰止められることなく連続平面部４上を流下する一方、各小凸部２，２・・に設けた通気孔３，３・・を通して屋根裏の湿気を上方に放出させ得るという機能を有しているが、このルーフィングＹには次のような問題が知見された。
【００１８】
即ち、各小凸部２，２・・は、単に押出成形しただけのものであるので、該小凸部２，２・・の上に瓦桟６を載せて該瓦桟６に釘打ちすると、瓦桟６に接触する各小凸部２，２・・が強く押圧されて変形する（潰れる）虞れがあるとともに、経時変化により瓦７，７・・等の荷重で小凸部２，２・・が徐々に押し潰されて、瓦桟６にガタつきが生じる虞れもあった。
【００１９】
さらに、各小凸部２，２・・の通気孔３は、微小径であるものの、瓦７の下方に侵入した雨水Ｗの一部が図７に符号Ｗａで示すように各通気孔３，３・・を通って小凸部２の内部空所に侵入する虞れがあり、その場合には侵入雨水Ｗａによって野地板５が濡れることになる。特に、屋根工事の途中で瓦７を葺く前のルーフィングＹが野地板５上で露出しているときに多量の降雨があると、ルーフィングＹの上面がビショ濡れになって各小凸部２，２・・の上にも雨水が載り（特に谷溝になっている部分では雨水が集中して小凸部２が水没することがある）、その雨水が各通気孔３を通って小凸部２の内部空所に侵入する虞れが大きくなる。
【００２０】
そこで、本願発明は、図５〜図７（特許文献１）の下地シート（ルーフィング）における上記問題点を改善するためになされたものであって、各小凸部の変形（潰れ）を防止し得るとともに、通気孔からの侵入雨水に対して一層の防水機能を確保し得るようにした建築用下地シートを提供することを目的としている。
【課題を解決するための手段】
【００２１】
本願発明は、上記課題を解決するための手段として次の構成を有している。尚、本願発明は、屋根下葺材（ルーフィング）として使用したり、あるいは壁用下地材として使用し得る建築用下地シートを対象にしている。
【００２２】
そして、本願の建築用下地シートは、防水性を有するシート基材に前後左右に小間隔をもって片側に押出成形された多数の小凸部を形成し、該各小凸部の中心付近に微小な通気孔を形成していることを基本構成としているが、それに加えて、各小凸部の各内部空所にそれぞれ吸水ポリマーを充填し、さらにシート基材の下面に通気性のある薄シートを貼付して吸水ポリマーを各内部空所に封入していることを特徴としている。
【００２３】
シート基材としては、紙や不織布等にアスファルトを付着（含浸又は塗布）させたもの、あるいは紙や不織布等の２枚のシートでアスファルト層の表裏各面を被覆したもの等を使用できる。又、近年では、シート基材としてプラスチック系やゴム系（それぞれ防水性を有している）のルーフィング材も開発されており、本願ではこのような材質（プラスチック系やゴム系）のルーフィング材も使用できる。
【００２４】
シート基材の各小凸部は、例えば直径が５〜１０mm、高さが３〜５mm程度の大きさで、各小凸部の間隔（中心間隔）が前後左右にそれぞれ１０〜２０mm程度になるように形成している。尚、これらの数値は特に限定するものではなく、適宜に設計変更できる。この各小凸部は、平面視では円形、四角形等の適宜の形状に設計でき、側面視では台形、半球形等の適宜の形状に設計できる。
【００２５】
シート基材における小凸部以外の部分は、平面状態で連続しており、該連続平面部が侵入雨水の流下通路になる。
【００２６】
各小凸部の通気孔は、例えば直径が０.５〜１mm程度の微小な孔でもよいし、微細なメッシュ状のものでもよい。又、通気孔が微小な穴の場合は、１個でも複数個でもよい。尚、このように通気孔を微小にすると、雨水の侵入はある程度阻止できるが、それでも雨水の一部が通気孔を通って小凸部の内部空所に侵入する虞れがある。
【００２７】
各小凸部の内部空所に充填されている吸水ポリマーは、各内部空所にそれぞれ満杯状態で充填することが好ましい。この吸水ポリマーは、小粒子（例えば直径が０.５〜２mm程度）の集合体であって各小粒子間の隙間を通って空気が流通し得るようになっている。尚、この吸水ポリマーの種類としては例えばアクリル酸塩系のような汎用のものが使用可能である。
【００２８】
シート基材の下面に貼付された薄シートは、通気性を有するもので例えば不織布が採用できる。そして、シート基材の下面に薄シートを貼付することで、上記吸水ポリマーを各小凸部の内部空所に封入している。
【００２９】
この建築用下地シートは、瓦葺き屋根のルーフィングとして使用するときには、小凸部が上面側になるようにして屋根の野地板上に敷設する。そして、その下地シートの上に瓦桟を取付け（野地板に釘打ちする）、各瓦桟に瓦を掛け止めて（釘打ちして）屋根工事を完成させる。
【００３０】
ところで、この下地シートを野地板上に敷設した状態では、シート基材下面の薄シートが野地板上面に接合しているので、各小凸部の内部空所に充填している吸水ポリマーは薄シートを介して野地板で封止されており、小凸部上面に大きな押圧力が働いても吸水ポリマーが内部空所から下方に押し出されることがない。従って、吸水ポリマーが小凸部を補強する機能を有することになる。
【００３１】
そして、瓦桟を下地シートの上に載せて釘打ちすると、瓦桟の下面で下地シートの小凸部上面を押圧するが、各小凸部の内部空所にはそれぞれ吸水ポリマーが充填されているので、各小凸部が瓦桟からの押圧力で潰れることがない。
【００３２】
又、本願の下地シートを使用した瓦葺き屋根では、瓦桟下面とシート基材の連続平面部上面との間に小凸部の高さだけ隙間を有しているので、もし瓦の隙間等から雨水が侵入しても、その侵入雨水のほとんどはシート基材上面の連続平面部を流下するようになる。
【００３３】
ところで、瓦下面側に雨水が侵入すると、その一部の雨水が各小凸部上に載ることがある。特に、屋根工事の途中のルーフィングが露出している状態（瓦を葺く前）で多量の降雨があると、ルーフィング上面がビショ濡れになって雨水が各小凸部の上面にも載り易くなる（特に谷溝になっている部分では雨水が集中して小凸部が水没することがある）。そして、小凸部上に雨水が載ると、その雨水が通気孔からその内部空所内に侵入する虞れがあるが、小凸部の内部空所には吸水ポリマーが充填されているので、内部空所に侵入した雨水は該吸水ポリマーに吸収されてしまい、内部空所に侵入した雨水で下地シートの下側にある野地板を濡らすことはない。
【００３４】
他方、例えば雨天時に屋根裏が高湿度状態であっても、晴天（外気が低湿度になる）になると、屋根裏の湿気が野地板を通過し、この下地シートの薄シート及び小凸部内の吸水ポリマーを通って各小凸部の通気孔からルーフィング上面側（外気側）に放出されるようになり、屋根裏の湿度が短時間で外気湿度まで低下するようになる。
【００３５】
尚、本願の建築用下地シートは、壁用下地材として使用する場合には、シート基材の小凸部突出側が建物の外面側に向く状態で、壁体の外装材の内側に設置される。この場合も、壁体外装材を越えて雨水が侵入しても、その雨水が下地シートで阻止される一方、該下地シートには通気孔による通気性があるので、下地シート内面側で結露することがなくなる。又、各小凸部内の吸水ポリマーは、該各小凸部の補強と通気孔からの侵入雨水の吸収との両機能を有する。
【発明の効果】
【００３６】
本願発明の建築用下地シートは、次のような効果がある。
【００３７】
(1) シート基材に多数の小凸部を形成しているので、例えば瓦葺き屋根のルーフィングとして使用する場合に、該ルーフィング上面（シート基材の連続平面部の上面）と瓦桟との間に小凸部の高さだけ隙間を形成でき、その隙間が侵入雨水の流下通路となって、瓦桟による侵入雨水の堰止め障害を防止できる。
【００３８】
(2) 各小凸部の内部空所にそれぞれ吸水ポリマーを充填し、シート基材の下面に薄シートを貼付して該各吸水ポリマーを各内部空所に封入しているので、該吸水ポリマーが小凸部の補強部材となり、各小凸部の上面が瓦桟で押圧されても該小凸部が変形する（潰れる）ことがない。従って、ルーフィング上面と瓦桟下面との間の隙間を確実に維持できる。
【００３９】
(3) 各小凸部にそれぞれ微小な通気孔を形成し、小凸部の内部空所に充填された吸水ポリマー及びシート基材下面の薄シートにそれぞれ通気性があるので、防水機能を保証した上で通気性を確保でき、下地シート内面側で結露するのを防止できる。
【００４０】
(4) 瓦下面側に侵入した雨水の一部が小凸部上面の通気孔から小凸部の内部空所に侵入しても、その侵入雨水を内部空所の吸水ポリマーで吸収できるので、通気孔により通気性を確保するようにしたものであっても該通気孔から侵入した雨水で野地板が濡れることがない。
【実施例】
【００４１】
図１〜図３を参照して本願実施例の建築用下地シートを説明すると、この実施例では、建築用下地シートとして瓦葺き屋根に使用されるルーフィングＺが採用されている。
【００４２】
１〜図３に示す瓦葺き屋根は、屋根の野地板５上に本願実施例のルーフィングＺを敷き、その上に瓦位置決め用の瓦桟６，６・・を釘打ちにより取付け、その各瓦桟６，６・・に各瓦７，７・・を釘止めして施工されている。尚、屋根の野地板５は、木材であるので水分の浸透性（屋根裏内外の湿度調節機能）がある。又、各野地板５，５間には若干の隙間があり、その野地板５，５間の隙間からも屋根裏内外の湿度調節が可能である。
【００４３】
図１〜図３の実施例で使用されているルーフィングＺは、防水性を有するシート基材１に前後左右に小間隔をもって片側に押出成形された多数の小凸部２，２・・を形成している一方、該各小凸部２，２・・の中心付近に微小な通気孔３を形成していることを基本構成としているが、それに加えて、各小凸部２，２・・の内部空所２ａ，２ａ・・にそれぞれ吸水ポリマー１０，１０・・を充填し、さらにシート基材１の下面に通気性のある薄シート１１を貼付して吸水ポリマー１０，１０・・をそれぞれ各内部空所２ａ，２ａ・・に封入している。
【００４４】
シート基材１としては、紙や不織布にアスファルトを付着（含浸又は塗布）させたもの、あるいは紙や不織布等の２枚のシートでアスファルト層の表裏各面を被覆したもの等が採用できる。又、このシート基材１としては、プラスチック系やゴム系（それぞれ防水性を有している）のものも使用できる。このシート基材１の厚さは、特に限定するものではないが、０.５〜１mm程度が適当である。
【００４５】
シート基材１の各小凸部２，２・・は、この実施例では、直径が５〜１０mm、高さが３〜５mm程度の大きさで、前後左右にそれぞれ１０〜２０mm程度の間隔（中心間隔）をもたせて形成している。尚、各小凸部２，２の外側面間には、水が流れ得る適度の間隔（例えば５mm幅程度）が形成されている。
【００４６】
この実施例では、この各小凸部２，２・・は、平面視で円形、側面視で台形に押出成形しているが、球面状等の適宜の形状に成形してもよい。尚、この各小凸部２，２・・は、プレス成形機で容易に押出成形可能である。
【００４７】
シート基材１における小凸部以外の部分は、平面状態で連続した連続平面部４となっている。そして、この連続平面部４は、瓦７の下面側に雨水が侵入したとき（図２の矢印Ｗ）に、図１に矢印Ｗで示すようにその侵入雨水の流下通路になる。
【００４８】
各小凸部２，２・・に形成している通気孔３，３・・は、例えば直径が０.５〜１mm程度の微小径に形成している。尚、この通気孔３，３・・は、小凸部２の成形時に同時に穿孔するとよい。
【００４９】
各小凸部２，２・・の内部空所２ａに充填されている吸水ポリマー１０，１０・・は、各小凸部２の内部空所２ａにそれぞれ満杯状態で充填している。この吸水ポリマー１０は、小粒子（例えば直径が０.５〜２mm程度）の集合体であって各小粒子間の隙間を通って空気が流通し得るようになっている。尚、この吸水ポリマー１０の種類としては例えばアクリル酸塩系のような汎用のものが使用可能である。
【００５０】
シート基材１の下面に貼付された薄シート１１は、通気性を有するもので例えば不織布が採用できる。そして、シート基材１の下面に薄シート１１を貼付することで、上記各吸水ポリマー１０，１０・・をそれぞれ各小凸部２，２・・の内部空所２ａ，２ａ・・に封入している。尚、この状態では、吸水ポリマー１０が薄シート（不織布）１１を通過して漏れ出すことはない。
【００５１】
この建築用下地シートＺは、瓦葺き屋根のルーフィングとして使用するときには、小凸部２，２・・が上面側になるようにして屋根の野地板５上に敷設する。そして、その下地シートＺの上に各瓦桟６，６・・を取付け（野地板５に釘打ちする）、各瓦桟６，６・・に瓦７，７・・を掛け止めて（釘打ちして）屋根工事を完成させる。尚、各瓦桟６，６・・は、屋根の傾斜方向に所定間隔をもって屋根幅方向に向けて取付けられる。
【００５２】
このルーフィングＺを野地板５上に敷設した状態では、シート基材１下面の薄シート１１が野地板５上面に接合しているので、各吸水ポリマー１０，１０・・はそれぞれ小凸部２の内部空所２ａに保持されたままである。そして、瓦桟６をルーフィングＺの上に載せて釘打ちすると、瓦桟６の下面でルーフィングＺの小凸部２上面を押圧するが、瓦桟６の幅（屋根傾斜方向の幅）は３０〜４０mm程度あるので、該瓦桟６が屋根傾斜方向の複数（２〜３個）の小凸部２，２に跨がって載置され、従って瓦桟６の下面は多数個（瓦桟１ｍ当たり例えば１００〜３００個）の小凸部２，２・・で支持されている。
【００５３】
ところで、このように瓦桟６を多数個の小凸部２，２・・で支持すると、瓦桟６の釘打ち時に１個当たりの小凸部２に加わる荷重（圧縮力）は比較的小さくなるが、それでも釘打ち時には瓦桟６に接触している各小凸部２，２・・にそれぞれかなりの衝撃力が加わる（小凸部が圧縮変形する虞れがある）。又、施工後には、各瓦７，７・・の重量により瓦桟６に常時荷重が加わっており、経時変化で瓦桟６に接触している小凸部２，２・・が圧縮変形する虞れもある。
【００５４】
ところが、この実施例のルーフィングＺでは、各小凸部２，２・・の内部空所２ａにそれぞれ吸水ポリマー１０が充填されているので、各小凸部２，２・・はそれぞれ内部の吸水ポリマー１０で補強（裏支え）されており、該小凸部２が瓦桟６からの押圧力で潰れることがない（瓦桟６の下にある各小凸部２の突出形状がそのまま維持される）。
【００５５】
この実施例のルーフィングＺを使用した瓦葺き屋根では、瓦桟６下面とシート基材１の連続平面部４上面との間に小凸部２の高さだけ隙間を有することになり、もし瓦７の隙間等から雨水Ｗが侵入しても、その侵入雨水Ｗは瓦桟６に堰止められることなく、図１に符号Ｗで示すようにシート基材１上面の連続平面部４を流下するようになる。従って、瓦桟６が侵入雨水Ｗで濡れない。
【００５６】
ところで、瓦下面側に雨水Ｗが侵入すると、その一部の雨水が小凸部２，２・・上に載ることがある。特に、屋根工事の途中のルーフィングＺが露出している状態（瓦７を葺く前）で多量の降雨があると、ルーフィング上面がビショ濡れになって雨水が各小凸部２，２・・の上面にも載り易くなる（特に谷溝になっている部分では雨水が集中して小凸部２が水没することがある）。そして、小凸部２の通気孔３は微小径であるが、それでも小凸部２上に載った雨水は図３に符号Ｗａで示すように通気孔３を通って小凸部２の内部空所２ａに侵入することが考えられる。ところが、小凸部２の内部空所２ａには吸水ポリマー１０が充填されており、且つ通気孔３から侵入する雨水Ｗａはごく少量であるので、内部空所２ａに侵入した雨水Ｗａは吸水ポリマー１０に吸収される。従って、内部空所２ａに雨水Ｗａが侵入しても、その雨水Ｗａで野地板５を濡らすことはない。尚、吸水ポリマー１０に吸収した水分は、晴天時に通気孔３や薄シート１１を通して蒸発し、該吸水ポリマー１０が比較的短時間で元の乾燥状態に復帰する。
【００５７】
この実施例のルーフィングＺでは、各小凸部２，２・・にそれぞれ通気孔３があり、且つ小凸部２の内部空所２ａに充填されている吸水ポリマー１０も通気性があり、さらにシート基材１下面の薄シート１１も通気性を有しているので、ルーフィングＺの内外を湿気が自由に移動し、従って夜間に温度低下しても野地板５とルーフィングＺとの間で結露することがない。又、雨天時に高湿度状態であっても、晴天（外気が低湿度になる）になると、図３に示すように、まず野地板５とルーフィングＺとの間の湿気が各小凸部２，２・・の内部空所２ａから各通気孔３，３・・を通って符号Ｓ1で示すようにルーフィング上面側（外気側）に放出され、続いて天井裏（野地板５の下面側）の湿気も、符号Ｓ2で示すように野地板５中を浸透したり各野地板５，５間の隙間を通過したりして、野地板上面側に移動し、さらに各通気孔３，３・・を通ってルーフィング上面側に放出されるので、屋根裏内も比較的短時間で乾燥するようになる。
【００５８】
このように、本願実施例のルーフィングＺは、小凸部２及び通気孔３により、侵入雨水に対する防水機能と、シート基材下面側の湿度放出機能とを兼備するものであるが、さらに小凸部２の内部空所２ａに吸水ポリマー１０を充填していることにより、該吸水ポリマー１０で小凸部２に対する補強機能と通気孔３からの侵入雨水Ｗａに対する吸水機能を持たせることができる。
【００５９】
本願の他の実施例では、上記シート基材１を次のように製作してもよい。即ち、該シート基材１の材料として通気性を有する不織布（繊維が微細なメッシュ状に絡まっている）を使用し、該不織布に通気性を無くさない程度にエンボス加工を施して多数の小凸部２を形成した後、該シート基材１の各小凸部２の頂部を除く部分を防水加工する（例えばアスファルトを含浸させる）ことによって製作してもよい。この場合は、シート基材１の各小凸部２の頂部が微細なメッシュ状に維持されていて、該各小凸部２の頂部が通気性を有している一方、それ以外の部分は全て防水性を有している。従って、このようなシート基材を使用しても、上記実施例と同様な機能を有するルーフィングを製作することができる。
【００６０】
尚、本願の建築用下地シートは、屋根のルーフィングのほかに、壁用下地材として使用することもできる。その場合には、この建築用下地シートを、シート基材１の小凸部突出側が建物の外面側に向く状態で、壁体の外装材の内側に設置する。
【図面の簡単な説明】
【００６１】
【図１】本願実施例の建築用下地シートを屋根のルーフィングとして使用した場合の斜視図である。
【図２】図１のII−II断面相当図である。
【図３】図２のIII−III拡大断面図である。
【図４】従来の一般的な瓦葺き屋根の断面図である。
【図５】公知（特許文献１）の建築用下地シートを屋根のルーフィングとして使用した場合の斜視図である。
【図６】図５のＶI−ＶI断面相当図である。
【図７】図６のＶII−ＶII拡大断面図である。
【符号の説明】
【００６２】
１はシート基材、２は小凸部、２ａは内部空所、３は通気孔、４は連続平面部、５は野地板、６は瓦桟、７は瓦、１０は吸水ポリマー、１１は薄シート、Ｚはルーフィングである。
【図１】
2008291454.tif 000003
【図２】
2008291454.tif 000004
【図３】
2008291454.tif 000005
【図４】
2008291454.tif 000006
【図５】
2008291454.tif 000007
【図６】
2008291454.tif 000008
【図７】
2008291454.tif 000009